(57)【特許請求の範囲】
【請求項１】
板状の基板部と、該基板部の上面に配設され配線コード又は配管を結束する結束バンドが挿通可能なバンド挿通部と、該バンド挿通部から両側に延出して該基板部に立設されたリブ部と、該基板部の裏面に連結部を介して配設され内部に電気配線コード又は流体の配管が配備された加工装置の骨格を形成するＣ型溝を有するフレームの、該Ｃ型溝中に挿入されてから回転することにより該基板部と共働して該フレームを挟み込む係止部と、を備えた結束バンド固定具を、該フレームに着脱する結束バンド固定具の着脱治具であって、
該着脱治具は、該結束バンド固定具の該バンド挿通部及び該リブ部を収容可能な凹部を底面に有する本体と、該本体に連結されて持ち手となる把持部を有するハンドルとから構成され、
該結束バンド固定具を該フレームに対して着脱する際、該バンド挿通部及び該リブ部を該着脱治具の該凹部に収容後、該ハンドルの該把持部を持って該着脱治具を回転させ、該結束バンド固定具の該係止部を該フレームの該Ｃ型溝に係止又は該Ｃ型溝から離脱させることを特徴とする結束バンド固定具の着脱治具。
【請求項２】
前記ハンドルは、前記本体に形成された横方向貫通穴中に摺動可能に挿入された棒状部材から構成されることを特徴とする請求項１記載の結束バンド固定具の着脱治具。
【発明の詳細な説明】
【技術分野】
【０００１】
本発明は、結束バンドを各種装置を構成するレール状のフレームに固定するための結束バンド固定具をフレームに着脱するために使用する結束バンド固定具の着脱治具に関する。
【背景技術】
【０００２】
四方向にＣ型溝を有し所定の規格で形成されたアルミニウム合金製の構造材は、各種加工装置等の骨格を形成するフレームとして多く用いられている。切削装置、研削装置等の加工装置において、装置内部には様々な電気配線コードや液体及びエアの配管が配備されているが、配線コードや配管をフレームに固定する際には、ケーブルクランプ等と呼ばれる結束バンド固定具が多用されている（特許文献１及び２参照）。
【０００３】
この結束バンド固定具を使用すると、ケーブルで直接配線コードや配管とフレームを結束するより短い結束バンドで固定可能であり、フレームの一面に固定された結束バンド固定具に結束バンドを使用して配線コードや配管を固定するため、同様な位置のフレームの他の面に別の配線コードや配管を固定することも容易に可能となるので、加工装置又は工作機械分野等でよく使用されている。
【先行技術文献】
【特許文献】
【０００４】
【特許文献１】意匠登録第１１２６５０２号公報
【特許文献２】実開平５−２２８１３号公報
【発明の概要】
【発明が解決しようとする課題】
【０００５】
しかし、この結束バンド固定具はフレームと強固に固定する目的で係止部の噛み合い交差が小さく形成されているため、係止部をＣ型溝中に挿入して捻ってフレームに固定する際又はフレームに固定されている結束バンド固定具をフレームから離脱させる際に非常に大きな力を入れる必要がある。
【０００６】
しかも、この結束バンド固定具は一つの加工装置等の装置に多く用いられているため、装置製造の現場においてこの結束バンド固定具をフレームに固定する作業に多大な労力が必要となっていた。
【０００７】
本発明はこのような点に鑑みてなされたものであり、その目的とするところは、結束バンド固定具を装置のフレームに容易に着脱可能な結束バンド固定具の着脱治具を提供することである。
【課題を解決するための手段】
【０００８】
本発明によると、板状の基板部と、該基板部の上面に配設され配線コード又は配管を結束する結束バンドが挿通可能なバンド挿通部と、該バンド挿通部から両側に延出して該基板部に立設されたリブ部と、該基板部の裏面に連結部を介して配設され内部に電気配線コード又は流体の配管が配備された加工装置の骨格を形成するＣ型溝を有するフレームの、該Ｃ型溝中に挿入されてから回転することにより該基板部と共働して該フレームを挟み込む係止部と、を備えた結束バンド固定具を、該フレームに着脱する結束バンド固定具の着脱治具であって、該着脱治具は、該結束バンド固定具の該バンド挿通部及び該リブ部を収容可能な凹部を底面に有する本体と、該本体に連結されて持ち手となる把持部を有するハンドルとから構成され、該結束バンド固定具を該フレームに対して着脱する際、該バンド挿通部及び該リブ部を該着脱治具の該凹部に収容後、該ハンドルの該把持部を持って該着脱治具を回転させ、該結束バンド固定具の該係止部を該フレームの該Ｃ型溝に係止又は該Ｃ型溝から離脱させることを特徴とする結束バンド固定具の着脱治具が提供される。
【発明の効果】
【０００９】
本発明の着脱治具を用いると、結束バンド固定具を小さい力でフレームに対して容易に着脱可能に固定できるという効果を奏する。更に、着脱治具のハンドルを本体に対して摺動可能にすることで、着脱治具を回転させる際に、回転範囲の近傍に障害物等があった場合、障害物がない範囲でハンドルを回転後、ハンドルを本体に対して摺動させて反対方向に突出させてから、ハンドルを把持して更に回転を継続できるため、装置内部の構成が密になった小型化要求の高い装置の製造に用いる際に非常に便利である。
【図面の簡単な説明】
【００１０】
【図１】結束バンド固定具の斜視図である。
【図２】図２（Ａ）は本発明実施形態に係る結束バンド固定具の着脱治具の斜視図、図２（Ｂ）はその底面側斜視図である。
【図３】結束バンド固定具の使用例を示す加工装置の外観斜視図である。
【図４】一面に結束バンド固定具が固定されたフレームの横断面図である。
【図５】本発明の着脱治具を使用して結束バンド固定具をフレームに固定する様子を示す分解斜視図である。
【図６】結束バンド固定具のバンド挿通部に挿通された結束バンドで配線コード又は配管を結束する様子を示す斜視図である。
【発明を実施するための形態】
【００１１】
以下、本発明の実施形態を図面を参照して詳細に説明する。図１を参照すると、結束バンド固定具１０の斜視図が示されている。結束バンド固定具１０は、板状の基板部１２と、基板部１２の上面に配設され配線コード又は配管を結束する結束バンドが挿通可能なバンド挿通部１４と、バンド挿通部１４の角部から両側に延出して基板部１２に立設された一対のリブ部１６と、連結部１８（図４参照）を介して基板部１２の裏面に配設された係止部２０とから構成される。
【００１２】
基板部１２の裏面と係止部２０の表面との間隔は、結束バンド固定具１０が装着されるＣ型溝を有するフレームの板厚より僅かばかり狭く形成されている。即ち、フレームの板厚との噛み合い交差が小さく形成されている。結束バンド固定具１０はその全体が樹脂から一体的に形成されているのが好ましい。
【００１３】
図２（Ａ）を参照すると、本発明実施形態に係る結束バンド固定具の着脱治具２２の斜視図が示されている。図２（Ｂ）はその底面側斜視図を示している。着脱治具２２の本体２４は大径部２４ａと小径部２４ｂとから構成される。
【００１４】
本体大径部２４ａの底面には、図２（Ｂ）に示すように、結束バンド固定具１０のバンド挿通部１４を収容する円形凹部２６と、リブ部１６を収容する凹部２８が連続して形成されている。
【００１５】
本体小径部２４ｂの上端近傍には横方向貫通穴２９が形成されており、この横方向貫通穴２９中に棒状の把持部３０ａと両端の係止部３０ｂとを有するハンドル３０が挿入されている。ハンドル３０は矢印Ａ方向に摺動可能である。着脱治具２２は例えばアルミニウム合金から形成されている。
【００１６】
図３を参照すると、切削装置、研削装置等の加工装置３２の外観斜視図が示されている。加工装置３２の骨格は横断面が図４に示すような形状のフレーム（構造材）３４を組み合わせて構成されている。フレーム３４の外側には外装カバー３６が被せられている。
【００１７】
フレーム３４の適当箇所に結束バンド固定具１０を本発明の着脱治具２２を使用して固定し、結束バンド固定具１０に挿入された結束バンドで配線コード又は配管を固定してフレーム３４に沿って引き回すようになっている。
【００１８】
図４を参照すると、フレーム（構造材）３４の横断面図が示されている。フレーム３４はアルミニウム合金から形成されており、その横断面は正方形となっている。フレーム３４は四面を有しており、各面には一対の突出部３８により画成された長手方向に伸長するＣ型溝４０が形成されている。各面にＣ型溝４０が長手方向に伸長して形成されているため、結束バンド固定具１０はフレーム３４の何れの面にも固定可能である。
【００１９】
図５を参照して、本発明の着脱治具２２を使用した結束バンド固定具１０のフレーム３４への固定方法について説明する。まず、結束バンド固定具１０の係止部２０をフレーム３４のＣ型溝４０に対して長手方向に平行にしてＣ型溝４０中に挿入する。
【００２０】
次いで、結束バンド固定具１０のバンド挿通部１４及びリブ部１６を着脱治具２２の凹部２６，２８中に挿入し、着脱治具２０のハンドル３０の把持部３０ａを手で把持してハンドル３０を矢印Ｒで示す左右何れかの方向に回転させる。
【００２１】
これにより、結束バンド固定具１０が強制的に回転されて基板部１２と係止部２０との間にフレーム３４の突出部３８を挟みこんで結束バンド固定具１０がフレーム３４に固定される。
【００２２】
このように結束バンド固定具１０をフレーム３４に固定した後、図６に示すように、結束バンド４４をバンド挿通部１４に挿通して、配線コード又は配管４２を結束バンド４４で結束する。
【００２３】
フレーム３４に固定されている結束バンド固定具１０をフレーム３４から離脱させる際には、着脱治具２２の凹部２６，２８中に結束バンド固定具１０のバンド挿通部１４及びリブ部１６を挿入してから、着脱治具２２のハンドル３０を回転することにより、結束バンド固定具１０をフレーム３４のＣ型溝４０から容易に離脱させることができる。
【００２４】
着脱治具２２の棒状のハンドル３０は横方向貫通穴２９中を矢印Ａで示す方向に摺動可能に挿入されていることから、着脱治具２２を回転させる際に、回転範囲の近傍に障害物等があった場合、障害物がない範囲でハンドル３０を回転後、ハンドル３０を摺動させて反対方向に突出させ、突出したハンドル３０の把持部３０ａを手で把持して回転を継続できるため、装置の内部が密になった箇所でも結束バンド固定具１０をフレーム３４に対して容易に着脱することができる。
【符号の説明】
【００２５】
１０    結束バンド固定具
１４    バンド挿通部
１６    リブ部
２０    係止部
２２    着脱治具
２４    本体
２６，２８    凹部
３０    ハンドル
３４    フレーム（構造材）
３８    突出部
４０    Ｃ型溝
４２    配線コード又は配管
４４    結束バンド
【図１】
0005850737.tif 000002
【図２】
0005850737.tif 000003
【図３】
0005850737.tif 000004
【図４】
0005850737.tif 000005
【図５】
0005850737.tif 000006
【図６】
0005850737.tif 000007